(57)【特許請求の範囲】
【請求項１】
洗い場側のフランジ部の長手方向における所定位置に、溢れ水を洗い場側に流すためのオーバーフロー部が形成された、溢れ水の処理機能付き浴槽であって、上記のオーバーフロー部が、これに連なる上記のフランジ部と同じ高さで、且つオーバーフロー部の断面形状が、フランジ部の長手方向と直交する浴槽の壁の厚さ方向において上方に凸湾曲の曲面状に形成され、フランジ部より湾曲率が大きい状態に形成されたことを特徴とする溢れ水の処理機能付き浴槽。
【請求項２】
請求項１記載の浴槽であって、オーバーフロー部の断面形状が、略半円形であることを特徴とする溢れ水の処理機能付き浴槽。
【請求項３】
洗い場側のフランジ部の長手方向における所定位置に、溢れ水を洗い場側に流すためのオーバーフロー部が形成された、溢れ水の処理機能付き浴槽であって、上記のオーバーフロー部の表面に微細な凹凸が付けられ、これに連なるフランジ部より表面粗さが大きく形成され、オーバーフロー部の内縁側が外縁側より粗く形成されたことを特徴とする溢れ水の処理機能付き浴槽。
【請求項４】
請求項３記載の浴槽であって、オーバーフロー部の内縁側が外縁側より粗く形成されるのに代え、オーバーフロー部の内縁側が外縁側より長い状態で、平面視テーパー状にオーバーフロー部が形成されたことを特徴とする溢れ水の処理機能付き浴槽。
【発明の詳細な説明】
【０００１】
【発明の属する技術分野】
本発明は、浴室の出入口の段差を解消したバリアフリー浴室に好適な浴槽に関し、更に詳しくは溢れ水の処理機能付き浴槽に関するものである。
【０００２】
【従来の技術】
従来この種の浴槽としては、例えば特開平１１−１４８１５８号公報記載の発明のように、洗い場側のフランジ部の長手方向における所定位置に、オーバーフロー部を溝状に形成したものや（以下、従来例Ａという）、特開平１０−３２３２９５号公報記載の発明のように、洗い場側のフランジ部を凹湾曲面状に形成し、溢れ水をフランジ部の特定箇所から洗い場側に導いて流すよう、形成したものがある（以下、従来例Ｂという）。
【０００３】
【発明が解決しようとする課題】
ところでこの種の浴槽は、洗い場と脱衣室の床面との間に段差を設けないバリアフリー浴室において、湯船からの溢れ水による弊害を除去しようとするものである。
【０００４】
即ちこの種の浴室では、浴室の出入口に段差がないため、溢れ水が浴槽のフランジ部の全体から流れ出ると浴室の出入口に至る水量が増え、脱衣室の床面を濡らすことになる。
しかしこのような不利益を解消するため、浴室の出入口に、排水が流れ込むスリット等を備えた蓋（グレーチング）付きの排水溝を形成すると、この排水溝によって入浴者に洗い場を狭く感じさせたり、排水溝やグレーチングを清掃するための手間暇がかかることになる。
【０００５】
従来例Ａ、Ｂは、このような問題を、フランジ部に溝状部を形成したり、フランジ部を凹湾曲面状に形成することにより解決しようとするものである。
【０００６】
しかしながら、この従来例Ａ、Ｂの浴槽によると、満水時の水位が溝状部や凹湾曲面によって決定されることになる、という大きな問題点があった。
即ち従来例Ａ、Ｂの場合は、フランジ部の本来の高さまで入る分の浴槽水を、溝状部等から溢れ出させてしまい、又満水時の水位が下がる分、入浴時の快適性を損なわしめる、という不利益があった。
【０００７】
又従来例Ａ、Ｂの場合は、上記の通り、フランジ部の形態の変更を伴うものであったから、シャッター式の蓋を使用しても、蓋とフランジ部との間に隙間ができることを避けられず、その結果湯が冷め易くなり、又蓋をする際にも位置決めに神経を使う必要があった。
【０００８】
本発明は、このような従来品の問題点に鑑み、提案されたものである。
従って本発明の技術的課題は、溢れ水をフランジ部の特定箇所から流出可能に形成するだけではなく、満水時の水面を低くすることなく、本来のフランジ部の高さまで湯を張って快適に入浴でき、又汎用の蓋で簡単且つ確実に密閉できるよう形成した、溢れ水の処理機能付き浴槽を提供することにある。
【０００９】
【課題を解決するための手段】
本発明は、上記の課題を解決するために、次のような技術的手段を採る。
【００１０】
即ち本発明は、図１に示されるように、洗い場１側のフランジ部２の長手方向における所定位置に、溢れ水を洗い場１側に流すためのオーバーフロー部３が形成された、溢れ水の処理機能付き浴槽であって、上記のオーバーフロー部３が、これに連なる上記のフランジ部２と同じ高さで、且つオーバーフロー部３の断面形状が、フランジ部２の長手方向と直交する浴槽の壁の厚さ方向において上方に凸湾曲の曲面状に形成され、フランジ部２より湾曲率が大きい状態に形成されたことを特徴とする（請求項１）。
【００１１】
ここで、所定位置とは、具体的には上記フランジ部２の長手方向の中央位置や両側部を意味する。又湾曲率が大きい状態、とは、水位が上がったとき、フランジ部２よりオーバーフロー部３における水の方が、外側に流れ易い湾曲面形態に形成されている、ということを意味し、具体的にはオーバーフロー部３の内側、又は外側、或いはその両方の縁の湾曲率を、フランジ部２より大きく選定することで達成される。
【００１２】
なお本発明の場合、オーバーフロー部３は、図１Ａ、図３Ａに示されるように、フランジ部２において平面視でなだらかな曲線を描くよう形成される場合には限られず、その他例えば図４〜図６に示されるように、平面視で幅狭状に形成されるのでも良い。図４の実施形態は、オーバーフロー部３がフランジ部２の長手方向の中央位置において、外側が抉られて幅狭状に形成されたものであり、図５の実施形態は内側が抉られて幅狭状に形成されたものである。又図６の実施形態は、両側が抉られた状態で幅狭状に形成されたものである。
【００１３】
ここで、上方に凸湾曲の曲面状、とは、オーバーフロー部３の天面に平面状の箇所がない、ということを意味する。本発明の場合は、オーバーフロー部３の天面に平面がない分、水が流れ出し易くなる。
【００１４】
又本発明の場合は、図１Ｂ、図２に示されるように、オーバーフロー部３の断面形状が、略半円形であるのが好ましい（請求項２）。
【００１５】
この場合は、オーバーフロー部３の内縁、外縁の湾曲率が同一になり、オーバーフロー部３が蒲鉾形、トンネル形に形成されるから、一層、水を流れ出し易くでき、又湯船に出入りするときオーバーフロー部３に手をついても手に馴染み易く、更には掃除も容易になる、という利点がある。
【００１６】
又本発明の課題を達成する浴槽としては、図７に示されるように、洗い場１側のフランジ部２の長手方向における所定位置に、溢れ水を洗い場１側に流すためのオーバーフロー部３が形成された、溢れ水の処理機能付き浴槽であって、上記のオーバーフロー部３の表面に微細な凹凸が付けられ、これに連なるフランジ部２より表面粗さが大きく形成され、オーバーフロー部３の内縁側が外縁側より粗く形成されたことを特徴とするものがある（請求項３）。
【００１７】
ここで、表面粗さが大きく形成される、とは、オーバーフロー部３の箇所はフランジ部２に比べ表面張力が働かない（小さい）状態に形成される、ということを意味する。具体的には、金型のオーバーフロー部３を成形する箇所に、放電加工で微細な凹凸を形成したり、或いは微細な凹凸面状に表面が加工された超親水性シートを金型にセットし、この種の成形型で例えばガラス繊維強化プラスチック（ＦＲＰ）を成形加工することで達成される。
【００１８】
而してこの本発明の場合、フランジ部２における溢れ水Ｗ（図８参照）は、同図Ａに示されるように、表面が自ら収縮し、できるだけ小さな面積をとろうとするため流れ難くなる。一方、オーバーフロー部３では、同図Ｂに示されるように、水Ｗの表面張力が失われて流れ易くなる。
【００１９】
なお図７において、Ｄ１は、表面張力の小さい範囲を示し、Ｄ２は表面張力が大きい範囲である。請求項３に係る本発明品の場合は、Ｄ１の範囲において、表面粗さを異ならしめて形成しているから、水の流れ始めを確実に捉えることができる。又この本発明品の場合は、オーバーフロー部３の形状は、同様の理由から、図９に示されるように、オーバーフロー部３の内縁側３ａが外縁側３ｂより長い状態で、平面視テーパー状に形成されるのでも良い（請求項４）。
【００２０】
【発明の実施の形態】
以下、本発明の好適な一実施形態を添付図面に従って説明する。
【００２１】
図１等において、１は洗い場であり、２はこの洗い場１側のフランジ部である。又３は、溢れ水を洗い場１側に流すためのオーバーフロー部である。このオーバーフロー部３は、この実施形態では、フランジ部２において平面視でなだらかな曲線を描くよう、フランジ部２の長手方向における中央位置に形成されている。
【００２２】
又上記のオーバーフロー部３は、これに連なる上記のフランジ部２と同じ高さに、且つフランジ部２より湾曲率が大きい状態に形成されている。オーバーフロー部３の断面形状は、この実施形態では、図１Ｂ、図２に示されるように、フランジ部２の長手方向と直交する浴槽の壁の厚さ方向の断面が略半円形に形成されている。
【００２３】
而して本発明の場合、水位が上がると、オーバーフロー部３の位置の水がフランジ部２の外周に近くなり最初に流れ出す。そして一旦、流れ出すと、この溢れ水に引かれて規則正しい水の流れができ、流れ出た水はオーバーフロー部３に対応する洗い場１の位置に形成しておく排水溝４（図１１参照）を介して排水される。
【００２４】
次に請求項３記載の本発明浴槽の好適な一実施形態を、図７、図８に従って説明する。なお上例と重複する箇所は、同一番号を付し、詳細な説明は省略する。
【００２５】
この本発明の場合、オーバーフロー部３は、洗い場１側のフランジ部２の長手方向における中央位置に形成されている。このオーバーフロー部３は、表面に微細な凹凸が付けられ、これに連なるフランジ部２より表面粗さが大きく形成されている。オーバーフロー部３の凹凸は、この実施形態では金型で成形されている。即ち金型のオーバーフロー部３に対応する位置を放電加工で微細な凹凸面に形成し、この金型を用いて成形法により形成されている。
【００２６】
而して本発明の場合、オーバーフロー部３においては、図８Ｂに示されるように、溢れ水Ｗに表面張力が働かず、その結果水Ｗが流れ出す。一方、フランジ部２では、同図Ａに示されるように、水Ｗの表面が収縮し、表面張力のため流れ難くなる。
【００２７】
【発明の効果】
以上説明したように本発明は、オーバーフロー部をこれに連なるフランジ部と同じ高さで、且つオーバーフロー部の断面形状を、フランジ部の長手方向と直交する浴槽の壁の厚さ方向において上方に凸湾曲の曲面状に形成し、湾曲率を大きい状態に形成したものである。
従ってこれによれば、溢れ水を所定位置から流れ出させて排水処理できるだけではなく、満水時の水面を低くすることなく、本来のフランジ部の高さまで湯を張って快適に入浴でき、又汎用の蓋で簡単且つ確実に密閉できる。
【００２８】
又請求項３、４記載の本発明品は、オーバーフロー部の表面粗さをこれに連なるフランジ部と異ならしめ、表面張力の差を利用して溢れ水を制御するものである。
従ってこれによれば、上記した本発明浴槽と同様の効果を発揮できるだけではなく、溢れ水の処理のため、浴槽形状を犠牲にすることがないから、外観上の違和感を入浴者に与えることがない、という利点がある。
【図面の簡単な説明】
【図１】本発明浴槽の好適な一実施形態を示し、Ａは平面図、ＢはＡのＢーＢ線断面図、ＣはＡのＣーＣ線断面図、ＤはＡのＤーＤ線断面図である。
【図２】同上浴槽の一部を切欠した要部斜視図である。
【図３】同上浴槽の他の実施形態を示し、Ａは平面図、ＢはＡのＢーＢ線断面図である。
【図４】同上浴槽の他の実施形態を示し、Ａは要部平面図、ＢはＡのＢーＢ線断面図である。
【図５】同上浴槽の他の実施形態を示し、Ａは要部平面図、ＢはＡのＢーＢ線断面図である。
【図６】同上浴槽の他の実施形態を示し、Ａは要部平面図、ＢはＡのＢーＢ線断面図である。
【図７】本発明浴槽の他の構成を示す要部平面図である。
【図８】Ａ、Ｂ共に図７の本発明浴槽の作用を説明する要部断面図である。
【図９】図７に係る本発明浴槽の他の実施形態を示す要部平面図である。
【図１０】図１に係る本発明浴槽の他の実施形態を示す平面図である。
【図１１】図１０のＸＩーＸＩ線における要部拡大断面図である。
【符号の説明】
１    洗い場
２    フランジ部
３    オーバーフロー部
【図１】
0003557976.tif 000002
【図２】
0003557976.tif 000003
【図３】
0003557976.tif 000004
【図４】
0003557976.tif 000005
【図５】
0003557976.tif 000006
【図６】
0003557976.tif 000007
【図７】
0003557976.tif 000008
【図８】
0003557976.tif 000009
【図９】
0003557976.tif 000010
【図１０】
0003557976.tif 000011
【図１１】
0003557976.tif 000012